(57)【要約】【課題】新たに建物を構築するために必要な費用を、様々な建物に対応して容易に求めることができ、しかも、情報処理効率に優れ、積算時間を短縮することのできる積算装置及び積算方法を提供する。【解決手段】積算装置に新たに構築する建物１１の設計データを入力して、該設計データに基づいて新たに構築する建物１１を分割し、分割して得られた新規ブロック１１ａ〜１１ｄと同様の基本ブロック２１ａ〜２１ｄを、基本ブロックデータに基づいてデータベースから検索し、検索した各基本ブロック２１ａ〜２１ｄに対応する費用データを足し合わせる。【選択図】        図３
2004326593.tif 000002
【特許請求の範囲】
【請求項１】
新たに建物を構築するために必要な費用を積算する積算装置であって、
建物を分割することによって得られた基本ブロックを示す基本ブロックデータと、前記基本ブロックを構築するために必要な費用の費用データとが関連づけられて格納されたデータベースと、
新たに構築する建物の設計データを入力する入力手段と、
前記入力手段によって入力された設計データに基づいて、新たに構築する建物を新規ブロックに分割する分割手段と、
前記分割手段によって得られた新規ブロックと同様の前記基本ブロックを、前記基本ブロックデータに基づいて前記データベースから検索する検索手段と、
前記検索手段によって検索された各基本ブロックに対応する前記費用データを足し合わせる積算手段とを備えたことを特徴とする積算装置。
【請求項２】
請求項１に記載の積算装置において、
前記データベースは、既に設計されて費用が積算された建物から得られたデータを元に作成されたことを特徴とする積算装置。
【請求項３】
請求項１又は２に記載の積算装置において、
前記費用データは、パネル工法における壁パネル、床パネル、基礎及び外装材の全ての部材の合計価格と、これら各部材を施工するための施工費とが積算された費用のデータであることを特徴とする積算装置。
【請求項４】
請求項１〜３のいずれか一項に記載の積算装置において、
前記基本ブロックデータは、前記基本ブロックの形状及び基本ブロックのサイズのデータを含むことを特徴とする積算装置。
【請求項５】
請求項４に記載の積算装置において、
前記基本ブロックの形状は、平断面視略コ字型又はロ字型であることを特徴とする積算装置。
【請求項６】
請求項１〜５のいずれか一項に記載の積算装置を用いて、新たに建物を構築するために必要な費用を積算する積算方法であって、
前記積算装置に前記新たに構築する建物の設計データを入力して、
該設計データに基づいて前記新たに構築する建物を分割し、
分割して得られた新規ブロックと同様の基本ブロックを、前記基本ブロックデータに基づいて前記データベースから検索し、
検索した各基本ブロックに対応する前記費用データを足し合わせることを特徴とする積算方法。
【発明の詳細な説明】
【０００１】
【発明の属する技術分野】
本発明は、新たに建物を構築するために必要な費用を積算する積算装置及び積算方法に関する。
【０００２】
【背景の技術】
近年、住宅の設計においては設計作業を省力化するために、いわゆるＣＡＤ（ｃｏｍｐｕｔｅｒ  ａｉｄｅｄ  ｄｅｓｉｇｎ）システムが用いられるようになっている。従来の住宅用のＣＡＤシステムにおいては、オペレータの指示により、予め記憶された各種のデータに基づいて住宅の構造が決定され、該住宅の構造が間取り図、斜視図、設計図等の図面として出力されるようになっている。また、ＣＡＤシステムによっては、予め記憶された外装や内装の色や部材を選択することにより、外装や内装を決定するものがある。さらに、ＣＡＤシステムには、決定された住宅の構造、内装、外装に基づいて簡単な見積もりを求めるものもある。
このようにＣＡＤシステムにより見積もりを求める場合、ＣＡＤシステムにより住宅が設計され、設計された住宅の各部所に各部材を割り付けた後に、割り付けられた部材の部材コードから各部材の単価及び各部材を取り付けるのに必要な施工費を検索し、これら単価及び施工費を住宅に用いられる部材の量に基づいて積算して見積もりを求めている（特許文献１参照）。
【０００３】
【特許文献１】
特開平７−２３９８８３号公報（第１頁）
【０００４】
【発明が解決しようとする課題】
しかしながら、上記特許文献１においては、住宅の設計図毎に、割り付けられた各部材の単価及び施工費を積算することによって、住宅を構築するために必要な費用を個々に求めている。そのため、各部材の形状、サイズ等のデータ、各部材の単価のデータ、各部材を施工するためのデータ等がそれぞれデータベースに格納されているので、データベースの容量が大きくなってしまい、これに伴って情報処理効率が悪く、積算時間が長くなるという問題があった。
【０００５】
本発明は、上記事情に鑑みてなされたもので、新たに建物を構築するために必要な費用を、様々な建物に対応して容易に求めることができ、しかも、情報処理効率に優れ、積算時間を短縮することのできる積算装置及び積算方法を提供することを課題としている。
【０００６】
【課題を解決するための手段】
上記課題を解決するために、請求項１の発明は、例えば、図１〜図４に示すように、新たに建物を構築するために必要な費用を積算する積算装置であって、
建物を分割することによって得られた基本ブロック（例えば、基本ブロック２１ａ〜２１ｄ）を示す基本ブロックデータと、前記基本ブロック２１ａ〜２１ｄを構築するために必要な費用の費用データとが関連づけられて格納されたデータベースと、
新たに構築する建物（例えば、建物１１）の設計データを入力する入力手段（例えば、入力装置３）と、
前記入力手段３によって入力された設計データに基づいて、新たに構築する建物１１を新規ブロック（例えば、新規ブロック１１ａ〜１１ｄ）に分割する分割手段（例えば、ＣＰＵ７）と、
前記分割手段７によって得られた新規ブロック１１ａ〜１１ｄと同様の前記基本ブロック２１ａ〜２１ｄを、前記基本ブロックデータに基づいて前記データベースから検索する検索手段（例えば、ＣＰＵ７）と、
前記検索手段７によって検索された各基本ブロック２１ａ〜２１ｄに対応する前記費用データを足し合わせる積算手段（例えば、ＣＰＵ７）とを備えたことを特徴とする。
【０００７】
請求項１の発明によれば、新たに構築する建物１１を分割した新規ブロック１１ａ〜１１ｄと同様の基本ブロック２１ａ〜２１ｄを、基本ブロックデータに基づいてデータベースから検索し、検索された各基本ブロック２１ａ〜２１ｄに対応する費用データを足し合わせることによって新たに構築する建物１１に必要な費用が容易に求められる。
しかも、データベースに格納されるデータは、基本ブロックデータと費用データとであることから、従来に比してデータベースの容量を大幅に小さくすることができる。また、これに伴って情報処理効率に優れ、積算時間を短縮することが可能となる。
【０００８】
請求項２の発明は、請求項１に記載の積算装置において、
前記データベースは、既に設計されて費用が積算された建物から得られたデータを元に作成されたことを特徴とする。
【０００９】
請求項２の発明によれば、データベースを、既に設計されて費用が積算された建物から得られたデータを元に作成することによって、従来のデータを有効に利用することができる。
【００１０】
請求項３の発明は、請求項１又は２に記載の積算装置において、
前記費用データは、パネル工法における壁パネル、床パネル、基礎及び外装材の全ての部材の合計価格と、これら各部材を施工するための施工費とが積算された費用のデータであることを特徴とする。
【００１１】
請求項３の発明によれば、費用データは、全ての部材の合計価格と施工費とが積算された費用のデータであるので、部材の合計価格と施工費とを含んだ費用、すなわち、建物１１を構築する際にかかる全ての費用を求めることができる。また、一度に部材の合計価格と施工費とを含んだ全ての費用を求めることができる点においても、データベースの容量を小さくすることができ、情報処理効率に優れるという効果が得られる。
【００１２】
請求項４の発明は、例えば、図４に示すように、請求項１〜３のいずれか一項に記載の積算装置において、
前記基本ブロックデータは、前記基本ブロック（例えば、基本ブロック２１ａ〜２１ｄ）の形状及び基本ブロックのサイズのデータを含むことを特徴とする。
【００１３】
請求項４の発明によれば、基本ブロックデータは、基本ブロック２１ａ〜２１ｄの形状及び基本ブロック２１ａ〜２１ｄのサイズのデータを含むので、様々な形状及びサイズに対応した建物の費用を容易に求めることができる。
【００１４】
請求項５の発明は、例えば、図４に示すように、請求項４に記載の積算装置において、
前記基本ブロック（例えば、基本ブロック２１ａ、２１ｃ、２４）の形状は、平断面視略コ字型又はロ字型であることを特徴とする。
【００１５】
請求項５の発明によれば、基本ブロック２１ａ、２１ｃ、２４の形状は平断面視略コ字型又はロ字型であるので、分割手段７による分割処理を円滑に行うことができる。また、これらの形状をなした基本ブロック２１ａ、２１ｃ、２４を組み合わせることにより、様々な種類の建物に対応することができる。
【００１６】
請求項６の発明は、例えば、図１〜図４に示すように、請求項１〜５のいずれか一項に記載の積算装置を用いて、新たに建物（例えば、建物１１）を構築するために必要な費用を積算する積算方法であって、
前記積算装置に前記新たに構築する建物１１の設計データを入力して、
該設計データに基づいて前記新たに構築する建物１１を分割し、
分割して得られた新規ブロック（例えば、新規ブロック１１ａ〜１１ｄ）と同様の基本ブロック（例えば、基本ブロック２１ａ〜２１ｄ）を、前記基本ブロックデータに基づいて前記データベースから検索し、
検索した各基本ブロック２１ａ〜２１ｄに対応する前記費用データを足し合わせることを特徴とする。
【００１７】
請求項６の発明によれば、新たに構築する建物１１を分割した新規ブロック１１ａ〜１１ｄと同様の基本ブロック２１ａ〜２１ｄを、基本ブロックデータに基づいてデータベースから検索し、検索した各基本ブロック２１ａ〜２１ｄに対応する費用データを足し合わせることによって新たに構築する建物１１に必要な費用が容易に求められる。
しかも、データベースに格納されるデータは、基本ブロックデータと費用データとであることから、従来に比してデータベースの容量を大幅に小さくすることができる。また、これに伴って情報処理効率に優れ、積算時間を短縮することが可能となる。
【００１８】
【発明の実施の形態】
以下、図面を参照して本発明に係る積算装置及び積算方法について説明する。なお、以下では、本発明をＣＡＤシステムに適用した場合を例にとって説明する。このＣＡＤシステムでは、予め工場等で製造された木質パネルを現場で基礎に組み付けていくことにより、建物を構築する周知のパネル工法の設計に用いられるものである。
図１は、本発明の実施の形態に係るＣＡＤシステムの構成を示すブロック図である。
図１に示すように、ＣＡＤシステム１は、オペレータが表示装置４において設計した建物を構築するために必要な費用を、コンピュータ本体２に算出させて、表示装置４に表示したり、印刷装置５から印刷するものであり、コンピュータ本体２と、入力装置３、表示装置４と、印刷装置５などを備え、これらは内部バス６や各種インターフェースを介して互いに接続されている。
【００１９】
コンピュータ本体２は、ＣＰＵ７、ＲＡＭ８及び記憶装置９を備えており、本発明に係るプログラムは記憶装置９に格納されている。
【００２０】
ＣＰＵ７は、記憶装置９に格納されているシステムプログラムや、入力装置４から入力される各種データをＲＡＭ８に格納し、この指示及び入力データに応じてＲＡＭ８内に格納されたシステムプログラムに従って各種処理を実行し、その処理結果をＲＡＭ８に一時的に格納するとともに、処理結果を表示装置４や印刷装置５に送信する。
具体的に、ＣＰＵ７は、各プログラムに基づいて、後述するように、新たに構築する建物（例えば、建物１１（図３参照））の設計データを入力する入力処理（入力手段）、入力処理によって入力された設計データに基づいて、新たに構築する建物１１を新規ブロック（例えば、新規ブロック１１ａ〜１１ｃ）に分割する分割処理（分割手段）、分割処理によって得られた新規ブロック１１ａ〜１１ｃと同様の基本ブロック（例えば、基本ブロック２１ａ〜２１ｃ（図４参照））を、基本ブロックデータに基づいてデータベースから検索する検索処理（検索手段）、検索処理によって検索された基本ブロック２１ａ〜２１ｃに対応する費用データを足し合わせる積算処理（積算手段）を実行し、積算処理結果を表示装置４や印刷装置５に出力する処理などを実行する。
【００２１】
ＲＡＭ８は、ＣＰＵ７がプログラム記憶部９ａに格納されたプログラムを実行する際に各種データを展開するプログラム格納領域を形成するとともにＣＰＵ７が実行する処理に関わるデータを一時的に記憶する記憶領域、入力指示と入力データとによって処理される作業領域等を形成する。
【００２２】
記憶装置９は、プログラムやデータ等が予め記憶されたハードディスク装置であり、このハードディスク装置のハードディスクにはプログラム記憶部９ａとデータべース記憶部９ｂとを備えている。
この記憶装置９は、プログラムやデータ等が記憶された記録媒体を有しているが、記録媒体は光学的なものの他、磁気的、もしくは半導体メモリ等で構成しても良い。また、記録媒体は、記憶装置９に固定的に設けたもの（例えば、磁気テープ、ハードディスク等）でも良く、着脱自在に設けたもの（例えば、ＦＤＤ、ＭＯ、ＬＤ、ＤＶＤ、ＺＩＰ等）であっても良い。
【００２３】
プログラム記憶部９ａは、上述した入力処理、分割処理、検索処理、積算処理、積算処理結果を表示する表示処理などに必要なプログラムコード等を記憶している。
データベース記憶部９ｂは、図３及び図４に示すように、建物（例えば、建物１１）を分割することによって得られた基本ブロック（例えば、基本ブロック２１ａ〜２１ｄ）を示す基本ブロックデータと、各基本ブロック２１ａ〜２１ｄを構築するために必要な費用データとが関連づけられて格納されたデータベースなどを備えている。
【００２４】
基本ブロックデータとしては、基本ブロックの骨格となる形状のデータと、基本ブロックのサイズのデータとを含んでいる。
基本ブロックの形状としては、例えば図４に示すような、右側が開口した平断面視略コ字型の基本ブロック（以下、右側開口コ字型基本ブロック２１ａと言う）、平断面視ロ字型の基本ブロック（以下、ロ字型基本ブロック２４と言う）、平断面視略二の字型の基本ブロック（以下、二の字型基本ブロック２１ｂ、２３ｂと言う）、左側が開口した平断面視略コ字型の基本ブロック（以下、左側開口コ字型基本ブロック２１ｃと言う）、右側が開口した平断面視略Ｃ字型の基本ブロック（以下、右側開口Ｃ字型基本ブロック２３ａと言う）、左側が開口した平断面視略Ｃ字型の基本ブロック（以下、左側開口Ｃ字型基本ブロック２３ｃと言う）、直線状の基本ブロック（以下、界壁２１ｄ、２３ｄと言う）等が挙げられる。
基本ブロックのサイズは、基本ブロックを構成する各種部品（具体的には、壁パネル、床パネル、基礎、外装材など）のサイズによって決定され、ここでサイズとはモジュール単位で設計された長さとなる。例えば、図４に示すように、サイズの異なる二の字型基本ブロック２１ｂ、２３ｂや界壁２１ｄ、２３ｄ等が挙げられる。
また、基本ブロックデータには、その他に各種部材の色、柄、性能種別などのデータを含んでいても良い。
【００２５】
費用データとは、基本ブロックを構成する全ての部品の価格と、これら部品を施工するために必要な施工費とを合計した費用のデータである。
なお、これら基本ブロックデータ及び費用データが格納されたデータベースは、既に設計されて費用が積算された建物から得られたデータを元に作成したものである。
【００２６】
入力装置３は、キーボードの他、マウス、タッチペンなどのポインティングデバイスを備えている。
【００２７】
表示装置４は、例えば、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）などにより構成され、ＣＰＵの表示制御に従い、入力処理により入力された情報（例えば、建物の設計図）や、積算処理により得られた結果等の情報（例えば、建物を構築するために必要な費用など）を画面上に表示する。
【００２８】
印刷装置５は、プリンタであり、ＣＰＵ７からの指示に従い、入力処理により入力された情報（例えば、建物設計図など）や、積算処理により得られた結果（例えば、建物の設計図や建物を構築するために必要な費用など）を出力して表示する。
【００２９】
次に、ＣＰＵ７が行う積算処理の流れを、図２に示すフローチャートに沿って説明する。
動作説明の前提として、以下に説明するフローチャートに記述されている各機能を実現するためのプログラムは、読み取り可能なプログラムコードの形態でプログラム記憶部９ａに格納されており、ＣＰＵ７は上記プログラムコードに従った動作を逐次実行する。また、ＣＰＵ７は記録媒体に記憶された上記プログラムコードに従った動作を逐次実行することもできる。すなわち、記録媒体を介して外部から供給されたプログラムあるいはデータを利用して、この実施の形態特有の動作を実行することもできる。
【００３０】
まず、ステップＳ１では、オペレータがＣＡＤシステム１において設計した新たに構築する建物の設計データ（設計図）を入力する。
ここで、入力される設計図とは、例えば図３（ａ）〜（ｄ）に示すように、同形状の矩形状をなしたブロックが３つ横方向に連続して配列された建物１１、同形状のブロックが２つ横方向に連続して配列された建物１２、２つの同形状のブロックの間に、これらブロックよりも小さなブロックが設けられた建物１３、１つの矩形状のブロックからなる建物１４などが挙げられる。なお、建物の設計図のパターンとしては上述したものに限らない。
このように、新たに構築する建物の設計図が入力されると、ステップＳ２に移る。
【００３１】
ステップＳ２では、入力された建物を複数の新規ブロックに分割してステップＳ３に移る。
すなわち、例えば図３（ａ）に示す建物１１の場合には、右側が開口した平断面視略コ字型の新規ブロック（以下、右側開口コ字型新規ブロック１１ａと言う）と、平断面視略二の字型の新規ブロック（以下、二の字型新規ブロック１１ｂと言う）と、左側が開口した平断面視略コ字型の新規ブロック（以下、左側開口コ字型新規ブロック１１ｃと言う）と、２つの直線状の新規ブロック（以下、界壁１１ｄと言う）に分割する。ここで、右側開口コ字型新規ブロック１１ａは、右側が開口するように設けられた基礎と、該基礎上に構築される床パネル及び壁パネルと、該壁パネル全ての外面に取り付けられる外装材とから構成される。二の字型新規ブロック１１ｂは、二の字型に設けられた基礎と、該基礎上に構築される床パネル及び壁パネルと、該壁パネル全ての外面に取り付けられる外装材とから構成される。左側開口コ字型新規ブロック１１ｃは、左側が開口するように設けられた基礎と、該基礎上に構築される床パネル及び壁パネルと、該壁パネル全ての外面に取り付けられる外装材とから構成される。
【００３２】
一方、図３（ｂ）に示す建物１２の場合には、前記右側開口コ字型新規ブロック１１ａと、左側開口コ字型新規ブロック１１ｃと、界壁１１ｄとに分割する。
【００３３】
さらに、図３（ｃ）に示す建物１３の場合には、右側が開口した平断面視略Ｃ字型の新規ブロック（以下、右側開口Ｃ字型新規ブロック１３ａと言う）と、二の字型新規ブロック１３ｂと、左側が開口した平断面視略Ｃ字型の新規ブロック（以下、左側開口Ｃ字型新規ブロック１３ｃと言う）と、２つの直線状の新規ブロック（以下、界壁１３ｄと言う）に分割する。ここで、右側開口Ｃ字型新規ブロック１３ａと左側開口Ｃ字型新規ブロック１３ｃとは、それぞれ左右Ｃ字型に設けられた基礎と、該基礎上に構築される床パネル及び壁パネルと、壁パネル全ての外面に取り付けられた外装材とから構成される。また、二の字型新規ブロック１３ｂ及び、界壁１３ｄは、それぞれ前記二の字型新規ブロック１１ｂ、前記界壁１１ｄよりもサイズが小さいものである。
【００３４】
また、図３（ｄ）に示す建物１４の場合には、ロ字型新規ブロック１４のみからなっており、この場合は分割されない。このロ字型新規ブロック１４は、壁パネル全ての外面に外装材が取り付けられている。
【００３５】
ステップＳ３では、ステップＳ２で得られた複数の新規ブロックについて、それぞれ同様の基本ブロックを、基本ブロックデータに基づいてデータベースから検索する。
すなわち、図４に示すように、データベースには、新規ブロック（例えば、新規ブロック１１ａ〜１１ｄ、１３ａ〜１３ｄ、１４）と同形状の基本ブロック（例えば、基本ブロック２１ａ〜２１ｄ、２３ａ〜２３ｄ、２４）を示す基本ブロックデータが、それぞれ該基本ブロック２１ａ〜２１ｄ、２３ａ〜２３ｄ、２４を構築するために必要な費用の費用データとともに格納されている。したがって、例えば図３（ａ）の建物１１の場合には、データベースから、左側開口コ字型新規ブロック１１ａ、二の字型新規ブロック１１ｂ、右側開口コ字型新規ブロック１１ｃ、界壁１１ｄと同様の基本ブロック、すなわち、左側開口コ字型基本ブロック２１ａ、二の字型基本ブロック２１ｂ、右側開口コ字型基本ブロック２１ｃ、界壁２１ｄを検索することとなる。
その後、ステップＳ４に移る。
【００３６】
ステップＳ４では、複数の新規ブロックにそれぞれ対応する基本ブロック毎の費用データを、データベースから検索する。そして、これら各基本ブロックに対応する費用データを全て足し合わせる。
すなわち、例えば、図３（ａ）の建物１１の場合には、右側開口コ字型基本ブロック２１ａの費用と、二の字型基本ブロック２１ｂの費用と、左側開口コ字型基本ブロック２１ｃの費用と、界壁２１ｄ、２１ｄの費用とを積算する。なお、各基本ブロックの費用は、壁パネル、床パネル、基礎、外装材などの部材全ての価格と、これら部材を施工するための施工費用との合計費用のことを指す。
その後、ステップＳ５に移る。
【００３７】
ステップＳ５では、建物を構築するために必要な費用を表示装置４に表示又は印刷装置５から印刷することによって終了する。
【００３８】
以上、本発明の実施の形態によれば、新たに構築する建物１１の設計データを入力することで、設計データに基づいて、建物１１を新規ブロック１１ａ〜１１ｄに分割する。そして、分割した新規ブロック１１ａ〜１１ｄと同様の基本ブロック２１ａ〜２１ｄを、基本ブロックデータに基づいてデータベースから検索し、検索された各基本ブロック２１ａ〜２１ｄに対応する費用データを足し合わせることによって、新たに構築する建物１１に必要な費用が容易に求められる。
このように、データベースに格納されるデータは、基本ブロックデータと費用データとであるので、従来に比してデータベースの容量を大幅に小さくすることができる。また、これに伴って情報処理効率に優れ、積算時間を短縮することが可能となる。
また、基本ブロックデータは、基本ブロックの形状及びサイズのデータを含み、
基本ブロックの形状は平断面視略コ字型、ロ字型、直線状、Ｃ字型等であるので、これらの形状の基本ブロック２１ａ〜２１ｄ、２３ａ〜２３ｄ、２４を組み合わせることにより、様々な種類の建物に対応して費用をそれぞれ求めることができる。
さらに、データベースを、既に設計されて費用が積算された建物から得られたデータを元に作成するので、従来のデータを有効に利用することができる。
【００３９】
なお、本発明は上記実施の形態に限定されることなく、本発明の主旨を逸脱しない範囲において種々の改良ならびに設計の変更を行っても良い。
【００４０】
例えば、本実施の形態では、データベースには、基本ブロックデータと費用データとが関連付けられて格納され、費用データは、基本ブロックを構成する全ての部品の価格と、これら部品を施工するために必要な施工費とを合計した費用のデータであるとし、上述した方法により建物を構築するのに必要な費用が全て一度に求められるとしたが、これに限らず、基本ブロックを構成する部品毎の価格と、部品を施工するために必要な施工費とを別々に費用データとして備えておき、建物を構築するのに必要な費用を求める際に、部品毎の合計価格や施工費の合計を個々に求めるようにしても良い。すなわち、建物を構築する際の全ての壁パネルの合計価格、全ての床パネルの合計価格、全ての外装材の合計価格、全ての基礎の合計価格、全ての施工費等を個別に求めるようにする。この場合、部品を発注する際の部品の合計価格や、施工費の合計が個別にわかるので便利である。
【００４１】
また、本実施の形態では、ＣＡＤシステム１は、汎用コンピュータシステムに適用された場合について説明したが、例えば、ホスト装置と、このホスト装置と通信自在な端末装置とから構成されるコンピュータシステムに適用しても良い。
【００４２】
【発明の効果】
請求項１、請求項６の発明によれば、新たに構築する建物を分割した新規ブロックと同様の基本ブロックを、データベースから検索して、検索した各基本ブロックに対応する費用データを足し合わせることによって新たに構築する建物に必要な費用が容易に求められる。
しかも、データベースに格納されるデータは、基本ブロックデータと費用データであることから、データベースの容量を大幅に小さくすることができ、情報処理効率に優れ、積算時間を短縮することができる。
【００４３】
請求項２の発明によれば、請求項１と同様の効果を得ることができるのは勿論のこと、従来のデータを有効に利用することができる。
【００４４】
請求項３の発明によれば、請求項１又は２と同様の効果を得ることができるのは勿論のこと、部材の合計価格と施工費とを含んだ費用、すなわち、建物を構築する際にかかる全ての費用を求めることができる。また、この点においても、データベースの容量を小さくすることができ、情報処理効率に優れるという効果が得られる。
【００４５】
請求項４の発明によれば、請求項１〜３のいずれか一項と同様の効果を得ることができるのは勿論のこと、様々な形状及びサイズに対応した建物の費用を求めることができる。
【００４６】
請求項５の発明によれば、請求項１〜４のいずれか一項と同様の効果を得ることができるのは勿論のこと、分割手段による分割処理を円滑に行うことができる。また、これらの形状をなした基本ブロックをそれぞれ組み合わせることにより、様々な種類の建物に対応することができる。
【００４７】
【図面の簡単な説明】
【図１】本発明の実施の形態を示すためのもので、ＣＡＤシステムの構成を示すブロック図である。
【図２】同、積算処理の流れを示すフローチャートである。
【図３】同、新たに構築する建物及び分割手段によって分割した新規ブロックを模式的に示す図である。
【図４】同、データベースに格納された基礎ブロックを模式的に示す図である。
【符号の説明】
３  入力装置（入力手段）
７  ＣＰＵ（分割手段、検索手段、積算手段）
１１〜１４  建物
１１ａ〜１１ｄ、１３ａ〜１３ｄ、１４  新規ブロック
２１ａ〜２１ｄ、２３ａ〜２３ｄ、２４  基本ブロック
【図１】
2004326593.tif 000003
【図２】
2004326593.tif 000004
【図３】
2004326593.tif 000005
【図４】
2004326593.tif 000006